(57)【要約】      （修正有）【課題】  左前身頃と右前身頃のいずれか一方を開くことで一方の乳房のみを露出させて健診できる健診用上着を提供する。【解決手段】  右前身頃と左前身頃の幅が等しく、かつ一方の前身頃で一方の乳房を覆うことができる健診用上着として用いる健診用被服。【選択図】図３
0003119177.tif 000002
【実用新案登録請求の範囲】
【請求項１】
右前身頃と左前身頃の幅が等しく、かつ一方の前身頃で一方の乳房のみを覆うことができる健診用上着として用いる健診用被服。
【考案の詳細な説明】
【技術分野】
【０００１】
本考案は、健診用上着として用いる健診用被服に関するものであり、特に女性が健康診断する際に使用するもので、健診時の羞恥心を取り除く健診用被服に関するものである。
【背景技術】
【０００２】
従来より健康診断を行なう際に、寒さを防ぐために健診用の被服を着ていた。この健診用の被服は、簡易な着物のようであり、衿なし半袖で長さが膝の付近まであって、前身頃を紐で簡単にむすんで、容易に開閉できるようにしたものであった。この健診用の被服は、健診時には前身頃を開けて胸を露出し、医者が乳房に聴診器をあてて診察をするものである。
【０００３】
このような従来の健診用の被服では、健診者はブラジャーを着用しておらず胸を覆い隠すものはないため、被服の前を開けたときに乳房が全部露出する上に、左前身頃と右前身頃が深く重なっているため、常に左と右の前身頃を開かなくてはならず、そのため、常に両方の乳房が露出している状態であった。
【０００４】
このような健診用の被服を使用した健診方法では、女性の健診者、特に思春期の女性では乳房を医者に見せるのに抵抗があり、羞恥心が大きくなり心理的にも悪影響を及ぼすという問題点があった。
しかしながら、従来は上記のように女性の羞恥心を取り除くような、女性の健診者のために開発された健診用の被服は見当たらなかった。
【考案の開示】
【考案が解決しようとする課題】
【０００５】
本考案は上記の点に鑑みなされたものであり、左前身頃と右前身頃のいずれか一方を開くことで一方の乳房のみを露出させて健診できる健診用上着として用いる健診用被服を提供するものである。
【課題を解決するための手段】
【０００６】
本考案の要旨とするところは、右前身頃と左前身頃の幅が等しく、かつ一方の前身頃で一方の乳房のみを覆うことができる健診用上着にある。
【考案の効果】
【０００７】
請求項１記載の健診用上着は、右前身頃と左前身頃の幅が等しくかつ一方の前身頃で一方の乳房のみを覆うことができるため、診察していない方の乳房は上着によって覆われているため、診察時に他人に乳房を見られているという不快感や羞恥心が少なくなるという効果がある。
【考案を実施するための最良の形態】
【０００８】
本考案を実施するための最良の形態は、右前身頃と左前身頃の幅が等しく、かつ一方の前身頃で一方の乳房を覆うことができる健診用上着として用いる健診用被服と、乳首とその近傍を覆うカップ部を構成し、このカップ部にパットを着脱自在に挿入できるポケットを構成し、このカップ部の上部には、カップ部を首から吊り下げるための首部ストラップを取り付け、下端にはカップ部を身体に固定するための背部ストラップを挿通自在に取り付けた参考例として示す健診用ブラジャーである。
【０００９】
以下、本考案の第１実施形態を図に基づいて説明する。
図１は健診用ブラジャーの正面図、図２は同背面図、図３は健診用上着の正面図、図４は同背面図及び図５は健診用ブラジャーと健診用上着の使用状態を示す説明図である。
【００１０】
参考例として示す健診用ブラジャー１は、乳首４１とその近傍を覆うカップ部１０と、このカップ部１０の上部に首に掛けるための首部ストラップ１９，１９を取り付け、下端にはカップ部１０を身体に固定するための背部ストラップ１８を取り付けた構成よりなる。
【００１１】
上記カップ部１０は、乳首４１とその近傍を覆うのが目的であり、診察の際に聴診器を当てる部分の乳房４０は露出している必要があり、通常のブラジャーのカップ部より小さく構成されている。
【００１２】
上記カップ部１０の裏側にポケット１３が構成されている。このポケット１３には綿などを内蔵したパット１４が挿入可能であり、このパット１４で乳首４１が透けて見えるのを防ぐのである。そして、レントゲン撮影のときにはパット１４を外しておこなうのである。
【００１３】
上記ポケット１３は、裏側に限らず前側に構成しても良い。また、パット１４をカップ部１０に縫い付けておくこともできる。この場合ポケット１３は不要になるが、このパットはレントゲン撮影の際に外さなくて良いような材質にしなくてはならない。
また、カップ部１０の生地の素材等によって、パット１４を使用しなくても乳首が透けて見えない場合には、このポケット１３も構成する必要はない。
【００１４】
上記カップ部１０の下端に筒状の挿通部１６を構成し、この挿通部１６の内部に背部ストラップ１８を挿通自在に取り付けて、カップ部１０を移動可能としている。このため、カップ部１０の位置を水平方向に動かして位置調節ができるため、身体にフィットした状態で使用できる。
また、上記に限らず、カップ部１０の下端に背部ストラップ１８を縫い付けて固定した状態としても良い。
【００１５】
上記本実施形態の健診用ブラジャーを使用する際は、まず両側のカップ部１０，１０を乳首４１とその周辺を覆い隠すように当て、首部ストラップ１９，１９を首にかけて結ぶ。その後背部ストラップ１８を背中に回して結べばよい。その後必要に応じてポケット１３にパット１４を挿入する。
【００１６】
これによって、乳房４０のうち乳首４１とその近傍の狭い部分だけが覆われ、乳房４０のその他の部分は露出しているため、この健診用ブラジャー１を着用したままで、胸に聴診器を当てて診察をすることができる。そのため健診者は乳房の全部を露出する必要がなく羞恥心が薄れるという効果がある。
また、レントゲン撮影の際はポケット１３よりパット１４を外して行なう。また、このパット１４を着用することにより胸が大きく見えるという効果もある。
【００１７】
次に、本考案の実施形態の健診用上着は、衿と両袖のない、いわゆるポンチョ型の被服である。この健診用上着２は、前身頃の上部に紐２８，２８と下部に紐２９，２９が設けてあり、左前身頃２１の開閉を簡易、迅速に行えるのである。
【００１８】
左前身頃２１と右前身頃２２は重なっており、健診用上着２の中心線Ｃから左前身頃２１の端部２１ａまでの距離Ｌ１と、同じく右前身頃２２の端部２２ａまでの距離Ｌ２は等しい。
そのため診察時に左前身頃２１を開けたときには、右前身頃２２は右の乳房を隠していて、その端部２２ａは左の乳房の手前にあり左乳房を覆っていないため左胸の診察ができるのである。
右胸の診察のときも同様に、右前身頃２２だけを開けることで、左前身頃２１で左乳房を覆ったまま、右胸の診察ができるのである。
【００１９】
したがって、この健診用上着によれば、診察に必要ないずれか一方の乳房のみを露出させるものであり、そのとき他方の乳房は上着によって覆われているため、健診時に他人に乳房を見られているという不快感や羞恥心が少なくなる。また、衿と袖が無いため構成がシンプルであり着脱が迅速、容易に行なえるのである。
【図面の簡単な説明】
【００２０】
【図１】健診用ブラジャーの正面図
【図２】健診用ブラジャーの背面図
【図３】健診用上着の正面図
【図４】健診用上着の背面図
【図５】健診用ブラジャーと健診用上着の使用状態を示す説明図
【符号の説明】
【００２１】
１  健診用ブラジャー
２  健診用上着（健診用被服）
１０  カップ部
１３  ポケット
１４  パット
１８  背部ストラップ  
１９  首部ストラップ
２１  左前身頃
２２  右前身頃
２８  紐
２９  紐
【図１】
0003119177.tif 000003
【図２】
0003119177.tif 000004
【図３】
0003119177.tif 000005
【図４】
0003119177.tif 000006
【図５】
0003119177.tif 000007